Podtech/llm-jp-corpus-v4-ja_patent huggingface dataset:
【手続補正書】
【提出日】平成29年9月27日(2017.9.27)
【手続補正１】
【補正対象書類名】特許請求の範囲
【補正対象項目名】全文
【補正方法】変更
【補正の内容】
【特許請求の範囲】
【請求項１】
眼収差計によって測定される被検眼の裸眼波面収差データを取得する収差データ取得手段と、
第１矯正度数での処方を想定した被検眼の第１矯正波面収差データを前記裸眼波面収差データ及び前記第１矯正度数に基づいて演算し、前記第１矯正度数での処方を想定した被検眼の見え方を表す第１評価指標を前記第１矯正波面収差データに基づいて生成する第１評価指標生成手段と、
球面度数（Ｓ）、乱視度数（Ｃ）、乱視軸角度（Ａ）のうち少なくとも１つが前記第１矯正度数とは異なる第２矯正度数での処方を想定した被検眼の第２矯正波面収差データを前記裸眼波面収差データ及び前記第２矯正度数に基づいて演算し、前記第２矯正度数での処方を想定した被検眼の見え方を表す第２評価指標を前記第２矯正波面収差データに基づいて生成する第２評価指標生成手段と、
前記第１評価指標と前記第２評価指標とを、選択的に又は並列的にモニタに表示させる
【請求項２】
被検眼の眼前に配置される光学部材の屈折度数を切り換え被検眼の矯正度数を自覚的に測定する自覚検眼装置において設定される検査条件を、操作入力部に対する操作信号に基づいて取得する条件取得手段を有し、
第１評価視標生成手段は、前記検査条件を第１矯正度数として適用し第１評価視標を生成すると共に、前記操作入力部による前記検査条件の変更に連動して前記第１評価視標を更新することを特徴とする請求項１記載の眼科装置。
【請求項３】
被検眼の見え方を表す評価指標をシミュレーションする眼科装置であって、
眼収差計によって測定される被検眼の裸眼波面収差データを取得する収差データ取得手段と、
被検眼の眼前に配置される光学部材の配置を切り換え被検眼の矯正度数を自覚的に測定する自覚検眼装置において設定される検査条件を、操作入力部に対する操作信号に基づいて取得する条件取得手段と、
前記裸眼波面収差データを用いて、前記検査条件と対応する矯正度数での処方を想定した被検眼の矯正波面収差データを前記裸眼波面収差データ及び前記矯正度数に基づいて演算し、前記矯正度数での処方を想定した被検眼の見え方を表す評価指標を前記矯正波面収差データに基づいて生成する評価指標生成手段と、を有し、
前記評価視標生成手段は、前記操作入力部による前記検査条件の変更に連動して前記評価視標を更新することを特徴とする眼科装置。
【請求項４】
被検眼の見え方を表す評価指標をシミュレーションするための眼科測定プログラムであって、
眼科装置のプロセッサに実行されることによって、
被検眼の裸眼波面収差データを取得する収差データ取得ステップと、
第１矯正度数での処方を想定した被検眼の第１矯正波面収差データを前記裸眼波面収差データ及び前記第１矯正度数に基づいて演算し、前記第１矯正度数での処方を想定した被検眼の見え方を表す第１評価指標を前記第１矯正波面収差データに基づいて生成する第１評価指標生成ステップと、
球面度数（Ｓ）、乱視度数（Ｃ）、乱視軸角度（Ａ）のうち少なくとも１つが前記第１矯正度数とは異なる第２矯正度数での処方を想定した被検眼の第２矯正波面収差データを前記裸眼波面収差データ及び前記第２矯正度数に基づいて演算し、前記第２矯正度数での処方を想定した被検眼の見え方を表す第２評価指標を前記第２矯正波面収差データに基づいて生成する第２評価指標生成ステップと、
前記第１評価指標と前記第２評価指標とを、選択的に又は並列的にモニタに表示させる表示制御ステップと、を前記眼科装置に実行させることを特徴とする眼科測定プログラム。
【請求項５】
コントローラと、プロセッサと、を備え、
コントローラは、被検眼の眼前に配置される光学部材の配置を切り換える切換ユニットと、表示部と、前記光学部材の配置を切り換えるために操作される操作入力部と、を備え、
プロセッサは、
第１矯正度数での処方を想定した被検眼の見え方を表す第１評価指標を、前記第１矯正度数に少なくとも基づいて生成する第１評価指標生成ステップと、
球面度数（Ｓ）、乱視度数（Ｃ）、乱視軸角度（Ａ）のうち少なくとも１つが前記第１矯正度数とは異なる第２矯正度数での処方を想定した被検眼の見え方を表す第２評価指標であって、前記第１評価指標とは見え具合が異なる第２評価指標を、前記第２矯正度数に少なくとも基づいて生成する第２評価指標生成ステップと、
前記第１評価指標と前記第２評価指標とを、選択的に又は並列的に前記表示部のモニタに表示させる表示制御ステップと、を実行する、自覚検眼装置。
【手続補正２】
【補正対象書類名】明細書
【補正対象項目名】発明の名称
【補正方法】変更
【補正の内容】
【発明の名称】眼科装置、自覚検眼装置、および、眼科測定プログラム
【手続補正３】
【補正対象書類名】明細書
【補正対象項目名】０００１
【補正方法】変更
【補正の内容】
【０００１】
本開示は、被検眼の検査を行うための眼科装置、自覚検眼装置、および、眼科測定プログラムに関する。
【手続補正４】
【補正対象書類名】明細書
【補正対象項目名】０００５
【補正方法】変更
【補正の内容】
【０００５】
本開示は、従来技術の問題点に鑑みてなされたものであり、自覚検査において適正な処方値をスムーズに得ることができる眼科装置、自覚検眼装置、および、眼科測定プログラムを提供することを技術課題とする。
【手続補正５】
【補正対象書類名】明細書
【補正対象項目名】０００９
【補正方法】変更
【補正の内容】
【０００９】
本開示の第４態様に係る自覚検眼装置は、コントローラと、プロセッサと、を備え、コントローラは、被検眼の眼前に配置される光学部材の配置を切り換える切換ユニットと、表示部と、前記光学部材の配置を切り換えるために操作される操作入力部と、を備え、プロセッサは、第１矯正度数での処方を想定した被検眼の見え方を表す第１評価指標を、前記第１矯正度数に少なくとも基づいて生成する第１評価指標生成ステップと、球面度数（Ｓ）、乱視度数（Ｃ）、乱視軸角度（Ａ）のうち少なくとも１つが前記第１矯正度数とは異なる第２矯正度数での処方を想定した被検眼の見え方を表す第２評価指標であって、前記第１評価指標とは見え具合が異なる第２評価指標を、前記第２矯正度数に少なくとも基づいて生成する第２評価指標生成ステップと、前記第１評価指標と前記第２評価指標とを、選択的に又は並列的に前記表示部のモニタに表示させる表示制御ステップと、を実行する。
【手続補正書】
【提出日】平成29年10月5日(2017.10.5)
【手続補正１】
【補正対象書類名】明細書
【補正対象項目名】０００５
【補正方法】変更
【補正の内容】
【０００５】
実施形態のＸ線診断装置は、Ｘ線管と、判定部と、グリッド制御部とを備える。Ｘ線管は、Ｘ線を照射する。判定部は、照射条件に応じて、前記Ｘ線管のグリッドに電圧を印加するか否かを判定する。グリッド制御部は、前記判定部によって前記電圧を印加すると判定された場合に、前記グリッドに電圧を印加する。
【手続補正２】
【補正対象書類名】特許請求の範囲
【補正対象項目名】全文
【補正方法】変更
【補正の内容】
【特許請求の範囲】
【請求項１】
Ｘ線を照射するＸ線管と、
照射条件に応じて、前記Ｘ線管のグリッドに電圧を印加するか否かを判定する判定部と、
前記判定部によって前記電圧を印加すると判定された場合に、前記グリッドに電圧を印加するグリッド制御部と
を備える、Ｘ線診断装置。
【請求項２】
前記判定部は、前記照射条件としての前記Ｘ線の管電圧及び管電流のそれぞれが、予め設定されるそれぞれの閾値より低い場合に、前記電圧を印加すると判定する、
請求項１に記載のＸ線診断装置。
【請求項３】
被検体を透過した前記Ｘ線を検出するＸ線検出部と、
前記Ｘ線検出器によって検出されたＸ線の検出データに基づいて、前記照射条件を決定する決定部とを更に備え、
前記判定部は、前記決定部によって決定された照射条件に応じて、前記電圧を印加するか否かを判定する、
請求項１又は２に記載のＸ線診断装置。
【請求項４】
前記決定部は、前記被検体の透視において前記Ｘ線検出器によって検出されたＸ線の検出データに基づいて、前記被検体の撮影における前記照射条件を決定し、
前記判定部は、前記決定部により決定された前記照射条件に応じて、前記被検体の撮影において前記Ｘ線管のグリッドに電圧を印加するか否かを判定する、
請求項３に記載のＸ線診断装置。
【請求項５】
前記決定部は、前記Ｘ線のパルスが複数回連続して照射されるごとに、前記照射条件を決定し、
前記判定部は、前記決定部によって前記照射条件が決定されるごとに、当該照射条件に基づく前記Ｘ線が照射される場合に、前記電圧を印加するか否かを当該照射条件に応じて
判定する、
請求項３に記載のＸ線診断装置。
【請求項６】
パルス透視において、前記電圧を印加せずにＸ線のパルスを所定期間連続して発生させるモードを実行する制御部を更に備え、
前記決定部は、前記モードにおいて前記Ｘ線のパルスが複数回連続して照射されるごとに、前記照射条件を決定する、
請求項５に記載のＸ線診断装置。
【請求項７】
前記制御部は、前記パルス透視が開始されると、前記モードを開始する、
請求項６に記載のＸ線診断装置。
【請求項８】
前記制御部は、前記パルス透視において、操作者からの指示に応じて前記モードを開始する、
請求項６に記載のＸ線診断装置。
【請求項９】
前記制御部は、予め設定された所定の指示を受け付けた場合に、前記パルス透視が開始されると、前記モードを開始する、
請求項６に記載のＸ線診断装置。
【手続補正書】
【提出日】平成29年9月20日(2017.9.20)
【手続補正１】
【補正対象書類名】特許請求の範囲
【補正対象項目名】全文
【補正方法】変更
【補正の内容】
【特許請求の範囲】
【請求項１】
ランプ及び／又はモータによる演出動作を制御するＣＰＵと、前記ＣＰＵの制御に基づいて所定の駆動制御データを、クロック信号に同期して出力するシリアル送信手段と、を有して構成される遊技機であって、
前記シリアル送信手段は、規定の周波数を、所定の範囲内で偏移可能な動作クロックに基づいて動作するよう構成されていることを特徴とする遊技機。
【請求項２】
前記シリアル送信手段及びＣＰＵは、単一の電子素子に内蔵され、
前記ＣＰＵは、前記動作クロックを、システムクロックとして受けて動作している請求項１に記載の遊技機。
【手続補正２】
【補正対象書類名】明細書
【補正対象項目名】０００９
【補正方法】変更
【補正の内容】
【０００９】
上記の目的を達成するため、本発明は、ランプ及び／又はモータによる演出動作を制御するＣＰＵと、前記ＣＰＵの制御に基づいて所定の駆動制御データを、クロック信号に同期して出力するシリアル送信手段と、を有して構成される遊技機であって、前記シリアル送信手段は、規定の周波数を、所定の範囲内で偏移可能な動作クロックに基づいて動作するよう構成されている。
【手続補正３】
【補正対象書類名】明細書
【補正対象項目名】００１０
【補正方法】変更
【補正の内容】
【００１０】
前記シリアル送信手段及びＣＰＵは、単一の電子素子に内蔵され、前記ＣＰＵは、前記動作クロックを、システムクロックとして受けて動作しているか、前記シリアル送信手段は、ＣＰＵとは分離状態で構成されているのが好適である。
【手続補正４】
【補正対象書類名】明細書
【補正対象項目名】００１１
【補正方法】変更
【補正の内容】
【００１１】
動作クロックの中心周波数は、水晶振動子の固有周波数で規定されるのが好適であり、動作クロックの中心周波数に対する周波数偏移量は、中心周波数に対して所定範囲内（好ましくは３．０％以下、より好ましくは２．０％以下）に制限されているのが好適である。駆動制御データ及びクロック信号の伝送距離は、５００ｍｍ以上であるのが好適であり、駆動制御データ及びクロック信号は、シングルエンド信号として好適に伝送される。
【手続補正書】
【提出日】平成29年9月20日(2017.9.20)
【手続補正１】
【補正対象書類名】特許請求の範囲
【補正対象項目名】全文
【補正方法】変更
【補正の内容】
【特許請求の範囲】
【請求項１】
ランプ及び／又はモータによる演出動作を制御する演出制御手段を設けた遊技機であって、
前記演出制御手段は、基本クロック信号を出力する第１手段と、
第１手段が出力する基本クロック信号を受けて、その周波数を所定の範囲内で偏移可能な伝送クロック信号を出力可能な第２手段と、を有して構成され、
前記演出制御手段から出力されるランプ及び／又はモータを駆動する駆動制御データは、前記伝送クロック信号に基づいて、ランプ及び／又はモータを駆動する駆動回路に伝送されることを特徴とする遊技機。
【請求項２】
前記演出制御手段は、ランプ及び／又はモータを所定態様で制御するＣＰＵと、第１手段を実現するシリアルポートと、を内蔵したワンチップマイコンを有して構成されている請求項１に記載の遊技機。
【請求項３】
異なる駆動制御データを出力する第１手段を複数個設ける一方、共通の伝送クロック信号が使用される請求項１又は２に記載の遊技機。
【手続補正２】
【補正対象書類名】明細書
【補正対象項目名】０００９
【補正方法】変更
【補正の内容】
【０００９】
上記の目的を達成するため、本発明は、ランプ及び／又はモータによる演出動作を制御する演出制御手段を設けた遊技機であって、前記演出制御手段は、基本クロック信号を出力する第１手段と、第１手段が出力する基本クロック信号を受けて、その周波数を所定の範囲内で偏移可能な伝送クロック信号を出力可能な第２手段と、を有して構成され、前記演出制御手段から出力されるランプ及び／又はモータを駆動する駆動制御データは、前記伝送クロック信号に基づいて、ランプ及び／又はモータを駆動する駆動回路に伝送されるよう構成されている。
【手続補正３】
【補正対象書類名】明細書
【補正対象項目名】００１０
【補正方法】変更
【補正の内容】
【００１０】
本発明において、伝送クロック信号の基本クロック信号に対する周波数偏移量は、基本クロック信号の周波数に対して所定範囲内（好ましくは３．０％以下、より好ましくは２．０％以下）に制限されているのが好ましい。
【手続補正４】
【補正対象書類名】明細書
【補正対象項目名】００１２
【補正方法】変更
【補正の内容】
【００１２】
ここで、異なる駆動制御データを出力する複数のシリアル送信手段が設けられ、各シリアル送信手段が出力する基本クロック信号毎に周波数変調手段が設けられているとノイズ抑制効果が高く、一方、異なる駆動制御データを出力する複数のシリアル送信手段を設ける一方、共通の伝送クロック信号が使用される構成を採ると回路構成が簡略化される。
【手続補正５】
【補正対象書類名】明細書
【補正対象項目名】００１３
【補正方法】変更
【補正の内容】
【００１３】
前記伝送クロック信号及び／又は前記駆動制御データは、シングルエンド信号として伝送されるのが配線数を抑制する上で効果的である。本発明は、上記の構成を採るので、差動伝送線によるシリアル伝送を採る必要がない。
【手続補正６】
【補正対象書類名】明細書
【補正対象項目名】００１４
【補正方法】変更
【補正の内容】
【００１４】
また、遊技機の機種変更に拘わらず使用可能な枠側部材と、遊技機の機種変更に対応して交換可能な盤側部材とに区分される遊技機であって、伝送クロック信号を伝送する配線ケーブルは、枠側部材と盤側部材とを接続するのが効果的である。
【手続補正書】
【提出日】平成29年4月25日(2017.4.25)
【手続補正１】
【補正対象書類名】特許請求の範囲
【補正対象項目名】全文
【補正方法】変更
【補正の内容】
【特許請求の範囲】
【請求項１】
本体部と、
前記本体部に設けられる集塵部と、
前記本体部に配置される複数のバッテリと、
を含んでなる自走式集塵ロボット。
【請求項２】
本体部と、
前記本体部に設けられる集塵部と、
前記本体部に配置されるバッテリと、
前記本体部の下部に設けられるキャスタと、を備え、
前記バッテリの真下に前記キャスタを配置したことを特徴とする自走式集塵ロボット。
【請求項３】
前記バッテリは、ケースの内部に複数のセルを収容して前記本体部の後部又は前部に２つ配置され、前記キャスタも、前記本体部の後部又は前部に２つ配置されることを特徴とする請求項２に記載の自走式集塵ロボット。
【請求項４】
前記本体部の後部に、当該後部の底面が前記本体部の前部の底面よりも高くなる切欠部が形成されることを特徴とする請求項２又は３に記載の自走式集塵ロボット。
【請求項５】
前記集塵部は集塵用モータを備え、前記バッテリは、前記集塵用モータを挟んで左右に配置されることを特徴とする請求項１乃至４の何れかに記載の自走式集塵ロボット。
【請求項６】
本体部と、
前記本体部に設けられる集塵部と、
前記本体部に配置されるバッテリと、
前記本体部の下部に設けられる複数のキャスタと、
を含んでなる自走式集塵ロボット。
【手続補正２】
【補正対象書類名】明細書
【補正対象項目名】０００６
【補正方法】変更
【補正の内容】
【０００６】
上記目的を達成するために、請求項１に記載の発明は、本体部と、本体部に設けられる集塵部と、本体部に配置される複数のバッテリと、を含んでなることを特徴とするものである。
上記目的を達成するために、請求項２に記載の発明は、本体部と、本体部に設けられる集塵部と、本体部に配置されるバッテリと、本体部の下部に設けられるキャスタと、を備え、バッテリの真下にキャスタを配置したことを特徴とするものである。
なお、ここでいう「真下」とは、平面視でバッテリの外形内にキャスタの全体が収まる場合は勿論、バッテリを中心に加わる本体部の荷重を支持できる位置であれば、平面視でキャスタの一部又は全部がバッテリの外形からはみ出すような場合も含まれる。
請求項３に記載の発明は、請求項２の構成において、バッテリは、ケースの内部に複数のセルを収容して本体部の後部又は前部に２つ配置され、キャスタも、本体部の後部又は前部に２つ配置されることを特徴とするものである。
請求項４に記載の発明は、請求項２又は３の構成において、本体部の後部に、当該後部の底面が本体部の前部の底面よりも高くなる切欠部が形成されることを特徴とするものである。
請求項５に記載の発明は、請求項１乃至４の何れかの構成において、集塵部は集塵用モータを備え、バッテリは、集塵用モータを挟んで左右に配置されることを特徴とするものである。
上記目的を達成するために、請求項６に記載の発明は、本体部と、本体部に設けられる集塵部と、本体部に配置されるバッテリと、本体部の下部に設けられる複数のキャスタと、を含んでなることを特徴とするものである。
【手続補正書】
【提出日】平成29年9月28日(2017.9.28)
【手続補正１】
【補正対象書類名】特許請求の範囲
【補正対象項目名】全文
【補正方法】変更
【補正の内容】
【特許請求の範囲】
【請求項１】
回転動作により可動演出部の姿勢を変更可能な可動遊技手段と、種々の表示演出を実行する表示部と、遊技に係る動作を制御する制御手段とが備えられた遊技機であって、
前記制御手段は、所定の条件が満たされると、前記可動演出部の姿勢を通常の第１姿勢から当該第１姿勢とは異なる第２姿勢へ変更する一方、
前記可動演出部が前記第１姿勢にあっても前記第２姿勢にあっても、前記可動演出部の少なくとも一部が前記表示部の前方に位置していることを特徴とする遊技機。
【請求項２】
前記制御手段に、前記表示部で実行される前記可動演出部に関連した表示演出であって、前記可動演出部が前記第１姿勢にある場合に実行される第１の表示演出と、前記可動演出部が前記第２姿勢にある場合に実行される第２の表示演出とが設定されていることを特徴とする請求項１に記載の遊技機。
【請求項３】
スライドにより可動演出部の位置を変更可能な可動遊技手段と、種々の表示演出を実行する表示部と、遊技に係る動作を制御する制御手段とが備えられた遊技機であって、
前記制御手段は、所定の条件が満たされると、前記可動演出部の位置を通常の第１位置から当該第１位置とは異なる第２位置へ変更する一方、
前記可動演出部が前記第１位置にあっても前記第２位置にあっても、前記可動演出部の少なくとも一部が前記表示部の前方に位置していることを特徴とする遊技機。
【請求項４】
前記制御手段に、前記表示部で実行される前記可動演出部に関連した表示演出であって、前記可動演出部が前記第１位置にある場合に実行される第１の表示演出と、前記可動演出部が前記第２位置にある場合に実行される第２の表示演出とが設定されていることを特徴とする請求項３に記載の遊技機。
【手続補正２】
【補正対象書類名】明細書
【補正対象項目名】０００５
【補正方法】変更
【補正の内容】
【０００５】
そこで、本発明は、上記問題に鑑みなされたものであって、位置や姿勢が変更される可動演出部が従来よりも長時間にわたり表示部の前方に露出しており、演出効果の高い遊技機を提供しようとするものである。
【手続補正３】
【補正対象書類名】明細書
【補正対象項目名】０００６
【補正方法】変更
【補正の内容】
【０００６】
上記目的を達成するために、本発明のうち請求項１に記載の発明は、回転動作により可動演出部の姿勢を変更可能な可動遊技手段と、種々の表示演出を実行する表示部と、遊技に係る動作を制御する制御手段とが備えられた遊技機であって、前記制御手段は、所定の条件が満たされると、前記可動演出部の姿勢を通常の第１姿勢から当該第１姿勢とは異なる第２姿勢へ変更する一方、前記可動演出部が前記第１姿勢にあっても前記第２姿勢にあっても、前記可動演出部の少なくとも一部が前記表示部の前方に位置していることを特徴とする。
請求項２に記載の発明は、請求項１に記載の発明において、前記制御手段に、前記表示部で実行される前記可動演出部に関連した表示演出であって、前記可動演出部が前記第１姿勢にある場合に実行される第１の表示演出と、前記可動演出部が前記第２姿勢にある場合に実行される第２の表示演出とが設定されていることを特徴とする。
また、上記目的を達成するために、本発明のうち請求項３に記載の発明は、スライドにより可動演出部の位置を変更可能な可動遊技手段と、種々の表示演出を実行する表示部と、遊技に係る動作を制御する制御手段とが備えられた遊技機であって、前記制御手段は、所定の条件が満たされると、前記可動演出部の位置を通常の第１位置から当該第１位置とは異なる第２位置へ変更する一方、前記可動演出部が前記第１位置にあっても前記第２位置にあっても、前記可動演出部の少なくとも一部が前記表示部の前方に位置していることを特徴とする。
請求項４に記載の発明は、請求項３に記載の発明において、前記制御手段に、前記表示部で実行される前記可動演出部に関連した表示演出であって、前記可動演出部が前記第１位置にある場合に実行される第１の表示演出と、前記可動演出部が前記第２位置にある場合に実行される第２の表示演出とが設定されていることを特徴とする。
【手続補正４】
【補正対象書類名】明細書
【補正対象項目名】０００７
【補正方法】変更
【補正の内容】
【０００７】
請求項１に記載の発明では、可動演出部が通常の第１姿勢にあっても当該第１姿勢とは異なる第２姿勢にあっても、可動演出部の少なくとも一部が表示部の前方に位置するように可動遊技手段が備えられている。一方、請求項３に記載の発明では、可動演出部が通常の第１位置にあっても当該第１位置とは異なる第２位置にあっても、可動演出部の少なくとも一部が表示部の前方に位置するように可動遊技手段が備えられている。すなわち、請求項１及び３に記載の発明によれば、通常状態において可動演出部の少なくとも一部が表示部の前方に露出しているとともに、可動演出部の姿勢が第２姿勢へ変更されたり（請求項１）、可動演出部の位置が第２位置へ変更されたり（請求項３）しても、可動演出部可動演出部の少なくとも一部が表示部の前方に露出している。したがって、従来よりも長時間にわたり表示部の前方に可動演出部が露出することになり、演出効果の高い遊技機とすることができる。
また、請求項２及び４に記載の発明によれば、通常状態において可動演出部に関連した表示演出が表示部で実行されるとともに、可動演出部の姿勢が第２姿勢へ変更されたり（請求項２）、可動演出部の位置が第２位置へ変更されたり（請求項４）しても、可動演出部に関連した表示演出が表示部で実行される。したがって、一層演出効果の高い遊技機とすることができる。
【手続補正書】
【提出日】平成29年9月28日(2017.9.28)
【手続補正１】
【補正対象書類名】特許請求の範囲
【補正対象項目名】全文
【補正方法】変更
【補正の内容】
【特許請求の範囲】
【請求項１】
第１装飾部と第２装飾部との少なくとも２つの装飾部を有する可動演出部と、前後方向を軸として前記可動演出部を回転させる回転機構部とを備えた可動遊技手段が設けられた遊技機であって、
前記第１装飾部と前記第２装飾部とを、回転の中心から夫々異なる放射方向へ突出するように設ける一方、
前記第１装飾部及び前記第２装飾部の前側に、前記可動遊技手段の一部を覆うカバー部を設けており、
前記回転機構部の動作に応じた回転により、前記可動演出部の姿勢が、前記第１装飾部の少なくとも一部が露出するとともに前記第２装飾部が前記カバー部の後側に位置する第１姿勢から、前記第２装飾部の少なくとも一部が露出するとともに前記第１装飾部が前記カバー部の後側に位置する第２姿勢へと変更可能になっていることを特徴とする遊技機。
【手続補正２】
【補正対象書類名】明細書
【補正対象項目名】０００６
【補正方法】変更
【補正の内容】
【０００６】
上記目的を達成するために、本発明は、第１装飾部と第２装飾部との少なくとも２つの装飾部を有する可動演出部と、前後方向を軸として前記可動演出部を回転させる回転機構部とを備えた可動遊技手段が設けられた遊技機であって、前記第１装飾部と前記第２装飾部とを、回転の中心から夫々異なる放射方向へ突出するように設ける一方、前記第１装飾部及び前記第２装飾部の前側に、前記可動遊技手段の一部を覆うカバー部を設けており、前記回転機構部の動作に応じた回転により、前記可動演出部の姿勢が、前記第１装飾部の少なくとも一部が露出するとともに前記第２装飾部が前記カバー部の後側に位置する第１姿勢から、前記第２装飾部の少なくとも一部が露出するとともに前記第１装飾部が前記カバー部の後側に位置する第２姿勢へと変更可能になっていることを特徴とする。
なお、上記発明において、前記可動演出部及び前記回転機構部を支持するケース部材に、所定方向へ噛合面が延設されたラックギア部を設けるとともに、モータと、前記モータの回転を前記ラックギア部に伝える回転伝達機構部とを設けており、前記モータが駆動すると、前記可動遊技手段が、前記ケース部材ごと前記所定方向へスライドするという構成を採用することも考えられる。
そして、そのような構成を採用することにより、可動演出部の姿勢が第１姿勢と第２姿勢との何れであっても可動遊技手段を同じようにスライドさせることができるため、そのような従来にない動きを利用した斬新な演出を実現することができ、遊技性の高い遊技機とすることができる。
【手続補正３】
【補正対象書類名】明細書
【補正対象項目名】０００７
【補正方法】変更
【補正の内容】
【０００７】
本発明によれば、第１装飾部と前記第２装飾部とを、回転の中心から夫々異なる放射方向へ突出するように設ける一方、第１装飾部及び第２装飾部の前側に、可動遊技手段の一部を覆うカバー部を設けている。そして、回転機構部の動作に応じた回転により、可動演出部の姿勢が、第１装飾部の少なくとも一部が露出するとともに第２装飾部がカバー部の後側に位置する第１姿勢から、第２装飾部の少なくとも一部が露出するとともに第１装飾部がカバー部の後側に位置する第２姿勢へと変更可能になっている。したがって、１つの可動遊技手段で、第１装飾部と第２装飾部との２つの装飾部を夫々別個に露出させる演出を実現することができ、従来よりも部品点数が少なくコスト低減を図ることができる。また、可動遊技手段のために必要なスペースの省スペース化することができ、他の部材の設計自由度を向上することができる等の効果もある。
【手続補正書】
【提出日】平成29年6月2日(2017.6.2)
【手続補正１】
【補正対象書類名】特許請求の範囲
【補正対象項目名】全文
【補正方法】変更
【補正の内容】
【特許請求の範囲】
【請求項１】
長手軸を有するとともに、前記長手軸に沿う方向に対して交差するジョー開閉方向について先端処置部に対して開閉可能なジョーであって、高周波電流が伝達されるジョー側電極部を備えるジョーと、
前記ジョーの外表面の一部を構成するとともに、前記先端処置部に対向する対向面であって、前記ジョー側電極部の一部を構成し、前記先端処置部との間で把持対象を把持可能な対向面と、
前記ジョーの前記外表面において前記対向面とは異なる部位である非対向面に設けられ、前記ジョー側電極部の少なくとも一部を覆う断熱カバーと、
を具備する把持ユニット。
【請求項２】
前記ジョー側電極部は、
前記ジョーが前記先端処置部に対して閉じた状態において前記先端処置部との間に隙間を有する第１の非接触部と、
前記ジョーの前記長手軸に沿う前記方向に垂直で、かつ、前記ジョー開閉方向に垂直な方向であるジョー幅方向の一方側を向く状態で前記第１の非接触部に設けられ、前記ジョー幅方向について外側に向かうにつれて前記ジョー開閉方向について先端処置部側に向かう状態に傾斜する第１の壁面部と、
前記第１の非接触部の縁を形成し、前記ジョーの前記長手軸に沿う前記方向について連続する１つの面状に形成される連続面と、
前記第１の非接触部において前記ジョー幅方向について前記連続面より内側の部位に設けられるとともに、前記先端処置部に対して閉じた前記ジョーと前記先端処置部との間で前記把持対象を把持する状態において前記把持対象の前記ジョーの前記長手軸に沿う前記方向に沿った移動を規制し、前記第１の壁面部に形成される移動規制部と、
を備える、請求項１の把持ユニット。
【請求項３】
前記非対向面は、前記連続面及び前記第１の壁面部とは異なる、請求項２の把持ユニット。
【請求項４】
前記第１の非接触部において前記ジョー幅方向の前記一方側を向く前記第１の壁面部は、前記ジョー幅方向の他方側へ向かうにつれて前記ジョー開閉方向について前記先端処置部側に向かう状態に傾斜し、
前記第１の壁面部に設けられる前記移動規制部は、前記ジョーの前記長手軸に沿う前記方向の位置に対応して前記ジョー幅方向の前記他方側への前記ジョーの前記長手軸からの距離が変化する距離変化部を備える、
請求項２の把持ユニット。
【請求項５】
前記第１の非接触部において前記ジョー幅方向の前記一方側を向く前記第１の壁面部は、前記ジョー幅方向の他方側へ向かうにつれて前記ジョー開閉方向について前記先端処置部側に向かう状態に傾斜し、
前記ジョーは、前記ジョーが前記先端処置部に対して閉じた状態において前記先端処置部との間に隙間を有する第２の非接触部をさらに備え、
前記第２の非接触部は、前記ジョー幅方向の前記他方側を向く状態で前記第２の非接触部に設けられ、前記ジョー幅方向の前記一方側へ向かうにつれて前記ジョー開閉方向について前記先端処置部側に向かう状態に傾斜する第２の壁面部を備える、
請求項２の把持ユニット。
【請求項６】
前記断熱カバーは、前記非対向面の全体を覆う、請求項１の把持ユニット。
【請求項７】
前記断熱カバーは、前記ジョーの前記長手軸に沿う前記方向に垂直で、かつ、前記ジョー開閉方向に垂直な方向であるジョー幅方向について前記先端処置部の少なくとも一方側を覆う状態に、前記ジョーが閉じる側へ向かって延設される、請求項１の把持ユニット。
【手続補正２】
【補正対象書類名】明細書
【補正対象項目名】発明の名称
【補正方法】変更
【補正の内容】
【発明の名称】把持ユニット
【手続補正３】
【補正対象書類名】明細書
【補正対象項目名】０００１
【補正方法】変更
【補正の内容】
【０００１】
本発明は、先端処置部に対して開閉可能で、先端処置部との間で把持対象を把持可能な把持ユニットに関する。
【手続補正４】
【補正対象書類名】明細書
【補正対象項目名】０００４
【補正方法】変更
【補正の内容】
【０００４】
前記特許文献１のような把持処置装置等では、先端処置部と把持ユニット（ジョー）との間で把持される把持対象を、超音波振動、高周波電流等のエネルギーを用いて処置することがある。この際、エネルギーによって発生した熱の把持対象以外の生体組織等への伝達が有効に防止されることが、求められる。
【手続補正５】
【補正対象書類名】明細書
【補正対象項目名】０００５
【補正方法】変更
【補正の内容】
【０００５】
本発明は前記課題に着目してなされたものであり、その目的とするところは、先端処置部との間で把持される把持対象をエネルギーを用いて処置する際に、エネルギーによって発生した熱の把持対象以外の生体組織等への伝達が有効に防止される把持ユニットを提供することにある。
【手続補正６】
【補正対象書類名】明細書
【補正対象項目名】０００６
【補正方法】変更
【補正の内容】
【０００６】
前記目的を達成するために、本発明のある態様の把持ユニットは、長手軸を有するとともに、前記長手軸に沿う方向に対して交差するジョー開閉方向について先端処置部に対して開閉可能なジョーであって、高周波電流が伝達されるジョー側電極部を備えるジョーと、前記ジョーの外表面の一部を構成するとともに、前記先端処置部に対向する対向面であって、前記ジョー側電極部の一部を構成し、前記先端処置部との間で把持対象を把持可能な対向面と、前記ジョーの前記外表面において前記対向面とは異なる部位である非対向面に設けられ、前記ジョー側電極部の少なくとも一部を覆う断熱カバーと、を備える。
【手続補正７】
【補正対象書類名】明細書
【補正対象項目名】０００７
【補正方法】変更
【補正の内容】
【０００７】
本発明によれば、先端処置部との間で把持される把持対象をエネルギーを用いて処置する際に、エネルギーによって発生した熱の把持対象以外の生体組織等への伝達が有効に防止される把持ユニットを提供することができる。
【手続補正書】
【提出日】平成28年12月7日(2016.12.7)
【手続補正１】
【補正対象書類名】特許請求の範囲
【補正対象項目名】全文
【補正方法】変更
【補正の内容】
【特許請求の範囲】
【請求項１】
活動セッションの開始を決定する工程と、
前記活動セッションへ参加している一人以上のユーザを特定する工程と、
少なくとも履物の第一物体を用いて前記一人以上のユーザに身体活動を実施するように促す工程と、
コンピュータデバイスによって、前記履物の第一物体に埋め込まれた一つ以上のセンサから前記一人以上のユーザが実施する一つ以上のアスリート運動を示すユーザパフォーマンスデータを受信する工程と、
第一プロセッサによって、前記受信したユーザパフォーマンスデータに基づいて第一ユーザの第一プレイスタイルを決定する工程と、
第二プロセッサによって、前記ユーザパフォーマンスデータから得られる一つ以上のパフォーマンスメトリクスに基づいてアクティビティスコアを決定する工程と、
前記履物の第一物体を用いて前記身体活動を行っている前記一人以上のユーザの前記アクティビティスコアに基づいて、前記一人以上のユーザのうちの第一ユーザに、リーダーボードを表示する工程と、を有する方法。
【請求項２】
前記第一ユーザのために決定された第一プレイスタイルを前記リーダーボードに表示する工程を有する、請求項１に記載の方法。
【請求項３】
一つ以上のプレイスタイルを達成することに関連した複数の活動要求を表示装置に表示する工程を有する、請求項１に記載の方法。
【請求項４】
前記パフォーマンスメトリクスのうちの一つはアクティビティポイントを有する、請求項１に記載の方法。
【請求項５】
前記パフォーマンスメトリクスのうちの一つは仕事率を有する、請求項１に記載の方法。
【請求項６】
前記パフォーマンスメトリクスのうちの一つは垂直跳びの高さを有する、請求項５に記載の方法。
【請求項７】
プレイスタイルを有するパフォーマンスメトリクスと身体活動との組み合わせを示すユーザ入力選択を受け取る工程を有する、請求項１に記載の方法。
【請求項８】
少なくとも一つのプロセッサと、
コンピュータ実行可能命令を記憶した少なくとも一つのメモリとを有する装置であって、
前記コンピュータ実行可能命令は、前記少なくとも一つのプロセッサで実行されると前記装置に少なくとも、
活動セッションの開始を決定する工程と、
前記活動セッションへ参加している一人以上のユーザを特定する工程と、
履物の第一物体を少なくとも用いて前記一人以上のユーザに身体活動を実施するように促す工程と、
コンピュータデバイスによって、前記履物の第一物体に埋め込まれた一つ以上のセンサから前記一人以上のユーザが実施する一つ以上のアスリート運動を示すユーザパフォーマンスデータを受信する工程と、
第一プロセッサによって、前記受信したユーザパフォーマンスデータに基づいて第一ユーザの第一プレイスタイルを決定する工程と、
第二プロセッサによって、前記ユーザパフォーマンスデータから得られる一つ以上のパフォーマンスメトリクスに基づいてアクティビティスコアを決定する工程と、
前記履物の第一物体を用いて前記身体活動を行っている前記一人以上のユーザのアクティビティスコアに基づいて、前記一人以上のユーザのうちの第一ユーザに、リーダーボードを表示する工程と、を実行させる装置。
【請求項９】
前記コンピュータ実行可能命令は、前記少なくとも一つのプロセッサで実行されると前記装置に、
前記第一ユーザのために決定された第一プレイスタイルを前記リーダーボードに表示する工程を実行させる、請求項８に記載の装置。
【請求項１０】
前記コンピュータ実行可能命令は、前記少なくとも一つのプロセッサで実行されると前記装置に、
一つ以上のプレイスタイルを達成することに関連した複数の活動要求を表示装置に表示する工程を実行させる、請求項８に記載の装置。
【請求項１１】
前記コンピュータ実行可能命令は、前記少なくとも一つのプロセッサで実行されると前記装置に、
プレイスタイルを有するパフォーマンスメトリクスと身体活動との組み合わせを示すユーザ入力選択を受け取る工程を有する、請求項８に記載の装置。
【請求項１２】
前記パフォーマンスメトリクスのうちの一つは仕事率を有する、請求項８に記載の装置。
【請求項１３】
前記パフォーマンスメトリクスのうちの一つは身体活動の繰り返し数を有する、請求項８に記載の装置。
【請求項１４】
コンピュータ実行可能命令を記憶した非一時的コンピュータ可読媒体であって、
前記コンピュータ実行可能命令は実行されると装置に、
活動セッションの開始を決定する工程と、
前記活動セッションへ参加している一人以上のユーザを特定する工程と、
履物の第一物体を少なくとも用いて前記一人以上のユーザに身体活動を実施するように促す工程と、
前記履物の第一物体に埋め込まれた一つ以上のセンサから前記一人以上のユーザが実施する一つ以上のアスリート運動を示すユーザパフォーマンスデータを受信する工程と、
前記受信したユーザパフォーマンスデータに基づいて第一ユーザの第一プレイスタイルを決定する工程と、
前記ユーザパフォーマンスデータから得られる一つ以上のパフォーマンスメトリクスに基づいてアクティビティスコアを決定する工程と、
前記履物の第一物体を用いて前記身体活動を行っている前記一人以上のユーザのアクティビティスコアに基づいて、前記一人以上のユーザのうちの第一ユーザにリーダーボードを表示する工程と、を実行させる非一時的コンピュータ可読媒体。
【請求項１５】
前記コンピュータ可読命令が実行されると前記装置に、
前記第一ユーザのために決定された第一プレイスタイルを前記リーダーボードに表示する工程を実行させる、請求項１４に記載の非一時的コンピュータ可読媒体。
【請求項１６】
前記コンピュータ可読命令が実行されると前記装置に、
一つ以上のプレイスタイルを達成することに関連した複数の活動要求を表示装置に表示する工程を実行させる、請求項１４に記載の非一時的コンピュータ可読媒体。
【請求項１７】
前記コンピュータ可読命令が実行されると前記装置に、
プレイスタイルを有するパフォーマンスメトリクスと身体活動との組み合わせを示すユーザ入力選択を受け取る工程を有する、請求項１４に記載の非一時的コンピュータ可読媒体。
【請求項１８】
前記パフォーマンスメトリクスのうちの一つは仕事率を有する、請求項１４に記載の非一時的コンピュータ可読媒体。
【請求項１９】
前記パフォーマンスメトリクスのうちの一つは身体活動の繰り返し数を有する、請求項１４に記載の非一時的コンピュータ可読媒体。
【手続補正書】
【提出日】平成29年7月21日(2017.7.21)
【手続補正１】
【補正対象書類名】特許請求の範囲
【補正対象項目名】全文
【補正方法】変更
【補正の内容】
【特許請求の範囲】
【請求項１】
遊技領域に設けられた入球口への遊技球の入球を検知する入球口検知手段と、
前記遊技領域に設けられた特別入賞口への入賞を検知する特別入賞口検知手段と、前記特別入賞口を開閉する開閉部材と、前記特別入賞口検知手段の下流に配された特定領域への遊技球の通過を検知する特定領域検知手段と、前記特別入賞口検知手段による検知後の遊技球が前記特定領域を通過するか否かを振り分ける振分部材と、を有する特別入賞手段と、
前記入球口検知手段による入球検知に基づいて当たりの判定を行う当たり判定手段と、
前記当たり判定手段の判定結果が当たりの場合に当たりの種類を判定する当たり種判定手段と、
前記当たり判定手段による判定結果が当たりである場合に、前記開閉部材を開放する特別遊技を行う特別遊技実行手段と、
前記振分部材の作動を制御する振分部材制御手段と、
前記特定領域への遊技球の通過に基づき特定の報知演出を行う報知制御手段と、を備え、
前記特別遊技実行手段は、当選した当たりの種類に応じて、前記開閉部材の開放パターンが異なる特別遊技を実行可能に構成されており、
前記振分部材制御手段は、
当選した当たりの種類に応じて、前記特別遊技中に遊技球が前記特定領域への通過容易な第１の作動パターン又は前記第１の作動パターンよりも通過困難な第２の作動パターンのいずれかの作動パターンにて前記振分部材を制御するものであり、
当選した当たりの種類が特定の種類の大当たりである場合には、少なくともいずれかの単位開放遊技にて、前記第１の作動パターンで前記振分部材を作動させるものであり、
前記報知制御手段は、
前記特定の種類の大当たりへの当選に基づく特別遊技の実行中に前記特定領域検知手段による通過検知がなされた場合は、前記特定の報知演出として第１の報知演出を行う一方、
前記特定の種類の大当たりへの当選に基づく特別遊技の実行中に前記特定領域検知手段による通過検知がなされなかった場合には、前記第１の報知演出とは異なる第２の報知演出を行うことを特徴とする遊技機。
【手続補正２】
【補正対象書類名】明細書
【補正対象項目名】０００８
【補正方法】変更
【補正の内容】
【０００８】
本発明の遊技機は、
遊技領域に設けられた入球口への遊技球の入球を検知する入球口検知手段と、
前記遊技領域に設けられた特別入賞口への入賞を検知する特別入賞口検知手段と、前記特別入賞口を開閉する開閉部材と、前記特別入賞口検知手段の下流に配された特定領域への遊技球の通過を検知する特定領域検知手段と、前記特別入賞口検知手段による検知後の遊技球が前記特定領域を通過するか否かを振り分ける振分部材と、を有する特別入賞手段と、
前記入球口検知手段による入球検知に基づいて当たりの判定を行う当たり判定手段と、
前記当たり判定手段の判定結果が当たりの場合に当たりの種類を判定する当たり種判定手段と、
前記当たり判定手段による判定結果が当たりである場合に、前記開閉部材を開放する特別遊技を行う特別遊技実行手段と、
前記振分部材の作動を制御する振分部材制御手段と、
前記特定領域への遊技球の通過に基づき特定の報知演出を行う報知制御手段と、を備え、
前記特別遊技実行手段は、当選した当たりの種類に応じて、前記開閉部材の開放パターンが異なる特別遊技を実行可能に構成されており、
前記振分部材制御手段は、
当選した当たりの種類に応じて、前記特別遊技中に遊技球が前記特定領域への通過容易な第１の作動パターン又は前記第１の作動パターンよりも通過困難な第２の作動パターンのいずれかの作動パターンにて前記振分部材を制御するものであり、
当選した当たりの種類が特定の種類の大当たりである場合には、少なくともいずれかの単位開放遊技にて、前記第１の作動パターンで前記振分部材を作動させるものであり、
前記報知制御手段は、
前記特定の種類の大当たりへの当選に基づく特別遊技の実行中に前記特定領域検知手段による通過検知がなされた場合は、前記特定の報知演出として第１の報知演出を行う一方、
前記特定の種類の大当たりへの当選に基づく特別遊技の実行中に前記特定領域検知手段による通過検知がなされなかった場合には、前記第１の報知演出とは異なる第２の報知演出を行うことを特徴とする遊技機である。
【手続補正書】
【提出日】平成29年7月21日(2017.7.21)
【手続補正１】
【補正対象書類名】特許請求の範囲
【補正対象項目名】全文
【補正方法】変更
【補正の内容】
【特許請求の範囲】
【請求項１】
遊技領域に設けられた入球口への遊技球の入球を検知する入球口検知手段と、
前記遊技領域に設けられた特別入賞口への入賞を検知する特別入賞口検知手段と、前記特別入賞口を開閉する開閉部材と、前記特別入賞口検知手段の下流に配された特定領域への遊技球の通過を検知する特定領域検知手段と、を有する特別入賞手段と、
前記入球口検知手段による入球検知に基づき判定情報を取得する判定情報取得手段と、
前記判定情報取得手段により取得された判定情報を所定の上限数まで記憶可能な記憶手段と、
前記入球口検知手段による入球検知に基づいて当たりの判定を行う当たり判定手段と、
前記当たり判定手段の判定結果が当たりの場合に当たりの種類を判定する当たり種判定手段と、
当選した当たりの種類が大当たりの場合に大当たり遊技を行い、小当たりの場合に小当たり遊技を行う特別遊技実行手段と、
前記入球口検知手段による入球検知に基づき取得した前記判定情報に基づいて、前記小当たり及び前記大当たりであるかを判定可能な情報を含む入賞情報を生成する入賞情報生成手段と、
前記特定領域への遊技球の通過を示す特定の報知演出を行う報知制御手段と、
基準位置である第１の状態と、前記基準位置とは異なる第２の状態のいずれかに変位可能に構成された可動部材と、
前記可動部材を予め定められた特定の作動パターン情報に従って、前記第１の状態または前記第２の状態に制御する可動部材制御手段と、
前記小当たり遊技の実行時に、前記入賞情報生成手段により生成された前記入賞情報に基づいて、前記記憶手段に記憶されている判定情報の中に特定の種類の大当たりがあるかを判定する小当たり実行時判定手段と、を備え、
前記可動部材制御手段は、
前記小当り実行時判定手段による判定結果として、前記判定情報の中に前記特定の種類の大当たりがあると判定されると、前記可動部材を特定の作動パターンで作動させるものであることを特徴とする遊技機。
【手続補正２】
【補正対象書類名】明細書
【補正対象項目名】０００８
【補正方法】変更
【補正の内容】
【０００８】
本発明の遊技機は、
遊技領域に設けられた入球口への遊技球の入球を検知する入球口検知手段と、
前記遊技領域に設けられた特別入賞口への入賞を検知する特別入賞口検知手段と、前記特別入賞口を開閉する開閉部材と、前記特別入賞口検知手段の下流に配された特定領域への遊技球の通過を検知する特定領域検知手段と、を有する特別入賞手段と、
前記入球口検知手段による入球検知に基づき判定情報を取得する判定情報取得手段と、
前記判定情報取得手段により取得された判定情報を所定の上限数まで記憶可能な記憶手段と、
前記入球口検知手段による入球検知に基づいて当たりの判定を行う当たり判定手段と、
前記当たり判定手段の判定結果が当たりの場合に当たりの種類を判定する当たり種判定手段と、
当選した当たりの種類が大当たりの場合に大当たり遊技を行い、小当たりの場合に小当たり遊技を行う特別遊技実行手段と、
前記入球口検知手段による入球検知に基づき取得した前記判定情報に基づいて、前記小当たり及び前記大当たりであるかを判定可能な情報を含む入賞情報を生成する入賞情報生成手段と、
前記特定領域への遊技球の通過を示す特定の報知演出を行う報知制御手段と、
基準位置である第１の状態と、前記基準位置とは異なる第２の状態のいずれかに変位可能に構成された可動部材と、
前記可動部材を予め定められた特定の作動パターン情報に従って、前記第１の状態または前記第２の状態に制御する可動部材制御手段と、
前記小当たり遊技の実行時に、前記入賞情報生成手段により生成された前記入賞情報に基づいて、前記記憶手段に記憶されている判定情報の中に特定の種類の大当たりがあるかを判定する小当たり実行時判定手段と、を備え、
前記可動部材制御手段は、
前記小当り実行時判定手段による判定結果として、前記判定情報の中に前記特定の種類の大当たりがあると判定されると、前記可動部材を特定の作動パターンで作動させるものであることを特徴とする遊技機である。
【手続補正書】
【提出日】平成29年7月21日(2017.7.21)
【手続補正１】
【補正対象書類名】特許請求の範囲
【補正対象項目名】全文
【補正方法】変更
【補正の内容】
【特許請求の範囲】
【請求項１】
遊技領域に設けられた入球口への遊技球の入球を検知する入球口検知手段と、
前記遊技領域に設けられた特別入賞口への入賞を検知する特別入賞口検知手段と、前記特別入賞口を開閉する開閉部材と、前記特別入賞口検知手段の下流に配された特定領域への遊技球の通過を検知する特定領域検知手段と、前記特別入賞口検知手段による検知後の遊技球が前記特定領域を通過するか否かを振り分ける振分部材と、を有する特別入賞手段と、
前記入球口検知手段による入球検知に基づき判定情報を取得する判定情報取得手段と、
前記判定情報取得手段により取得された判定情報を所定の上限数まで記憶可能な判定情報記憶手段と、
前記入球口検知手段による入球検知に基づいて当たりの判定を行う当たり判定手段と、
前記当たり判定手段の判定結果が当たりの場合に当たりの種類を判定する当たり種判定手段と、
前記当たり判定手段による判定結果を示す図柄を変動表示を経て停止表示する図柄表示手段と、
前記当たりに当選した場合に、前記図柄表示手段に特定の図柄を停止表示した後、当選した当たりの種類に応じた開放パターンにて前記開閉部材を開放する特別遊技を実行する特別遊技制御手段と、
前記振分部材の作動を制御する振分部材制御手段と、
前記入球口検知手段による入球検知に基づき取得した前記判定情報に基づいて、当たりであるかを判定可能な情報と、当たりの種類を判定可能な情報を含む入賞情報と、を生成する入賞情報生成手段と、
前記特定領域への遊技球の通過を示す特定の報知演出を行う報知制御手段と、を備え、
前記振分部材制御手段は、当選した当たりの種類に応じて、前記特別遊技の実行中に遊技球が前記特定領域へ通過容易な第１の作動パターン又は前記第１の作動パターンよりも通過困難な第２の作動パターンのいずれかの作動パターンにて前記振分部材を制御するものであり、
前記報知制御手段は、当選した当たりの種類が第１の作動パターンにて前記振分部材を制御する当たりの種類である場合に、前記特別遊技の実行中に前記特定領域検知手段による通過検知がなされると前記特定の報知演出を実行可能に構成されており、
前記入賞情報生成手段により生成された前記入賞情報に基づいて、前記判定情報記憶手段に記憶されている判定情報の中に特定の種類の当たりとなる情報が含まれているかを前記当たり判定手段による当たりの判定の前に判定する事前判定手段と、
前記事前判定手段により、前記判定情報の中に特定の種類の当たりとなる情報があると判定された場合には、前記特定の種類の当たりとなる前記判定情報よりも前に記憶されている判定情報に基づく図柄の変動表示の開始から、前記特定の種類の当たりとなる情報に基づく図柄の変動表示終了までに、前記特定領域に注意を向けさせ得る特定告知表示を行う特定告知表示手段と、をさらに備えていることを特徴とする遊技機。
【手続補正２】
【補正対象書類名】明細書
【補正対象項目名】０００８
【補正方法】変更
【補正の内容】
【０００８】
本発明の遊技機は、
遊技領域に設けられた入球口への遊技球の入球を検知する入球口検知手段と、
前記遊技領域に設けられた特別入賞口への入賞を検知する特別入賞口検知手段と、前記特別入賞口を開閉する開閉部材と、前記特別入賞口検知手段の下流に配された特定領域への遊技球の通過を検知する特定領域検知手段と、前記特別入賞口検知手段による検知後の遊技球が前記特定領域を通過するか否かを振り分ける振分部材と、を有する特別入賞手段と、
前記入球口検知手段による入球検知に基づき判定情報を取得する判定情報取得手段と、
前記判定情報取得手段により取得された判定情報を所定の上限数まで記憶可能な判定情報記憶手段と、
前記入球口検知手段による入球検知に基づいて当たりの判定を行う当たり判定手段と、
前記当たり判定手段の判定結果が当たりの場合に当たりの種類を判定する当たり種判定手段と、
前記当たり判定手段による判定結果を示す図柄を変動表示を経て停止表示する図柄表示手段と、
前記当たりに当選した場合に、前記図柄表示手段に特定の図柄を停止表示した後、当選した当たりの種類に応じた開放パターンにて前記開閉部材を開放する特別遊技を実行する特別遊技制御手段と、
前記振分部材の作動を制御する振分部材制御手段と、
前記入球口検知手段による入球検知に基づき取得した前記判定情報に基づいて、当たりであるかを判定可能な情報と、当たりの種類を判定可能な情報を含む入賞情報を生成する入賞情報生成手段と、
前記特定領域への遊技球の通過を示す特定の報知演出を行う報知制御手段と、を備え、
前記振分部材制御手段は、当選した当たりの種類に応じて、前記特別遊技の実行中に遊技球が前記特定領域へ通過容易な第１の作動パターン又は前記第１の作動パターンよりも通過困難な第２の作動パターンのいずれかの作動パターンにて前記振分部材を制御するものであり、
前記報知制御手段は、当選した当たりの種類が第１の作動パターンにて前記振分部材を制御する当たりの種類である場合に、前記特別遊技の実行中に前記特定領域検知手段による通過検知がなされると前記特定の報知演出を実行可能に構成されており、
前記入賞情報生成手段により生成された前記入賞情報に基づいて、前記判定情報記憶手段に記憶されている判定情報の中に特定の種類の当たりとなる情報が含まれているかを前記当たり判定手段による当たりの判定の前に判定する事前判定手段と、
前記事前判定手段により、前記判定情報の中に特定の種類の当たりとなる情報があると判定された場合には、前記特定の種類の当たりとなる前記判定情報よりも前に記憶されている判定情報に基づく図柄の変動表示の開始から、前記特定の種類の当たりとなる情報に基づく図柄の変動表示終了までに、前記特定領域に注意を向けさせ得る特定告知表示を行う特定告知表示手段と、をさらに備えていることを特徴とする遊技機である。